(57)【特許請求の範囲】
【請求項１】
タイル状の内装用板部材と、該内装用板部材の裏面に設けられ、少なくとも建物の壁面に残らず剥がすことができ、再貼り付け可能な再剥離性粘着剤とを備え、
前記内装用板部材は、竹を繊維化させた竹繊維と、パルプとから構成されていることを特徴とする内装材。
【請求項２】
タイル状の内装用板部材と、該内装用板部材の裏面に設けられ、少なくとも建物の壁面に残らず剥がすことができ、再貼り付け可能な再剥離性粘着剤とを備え、
前記内装用板部材は、竹を繊維化させた竹繊維と、牡蛎殻粉砕粒とから構成されていることを特徴とする内装材。
【発明の詳細な説明】
【０００１】
【発明の属する技術分野】
本発明は、建物の壁面に着脱可能に貼り付けられる内装材に関するものである。
【０００２】
【従来の技術】
従来、建物の壁面には壁紙或いは表面を綺麗に仕上げた化粧板からなる内装板が設けられている。この内装板は、木材から取り出されたパルプ或いは合成樹脂などから作られている。該内装板が設けられた建物の壁面は一般的に粘着テープや糊或いは画鋲を用いてメモや写真などを固定することができる。しかし、壁面に粘着テープや糊でメモや写真などを固定すると壁面は粘着テープの粘着剤や糊で汚れ、画鋲でメモや写真などを固定した場合壁面には穴が開いて傷付いてしまう。また、子供がマジックやクレヨンなどで落書きをしたり、シールを貼ったりして壁面が汚れてしまう。
【０００３】
【発明が解決しようとする課題】
しかしながら、新築の建物或いは高価な壁面の場合は壁面に傷が付いたり汚れたりすると壁紙や化粧板からなる内装板の美観を損ねてしまう。また、賃貸アパートやマンションなどの壁面を傷付けたり、汚したりしすると借りた人は費用をかけ修繕して返却しなくてはならない。このため、賃貸アパートやマンションなどを借りた人は壁面にメモや写真などを粘着テープや糊或いは画鋲などで固定できなかった。
【０００４】
本発明は、係る従来技術の課題を解決するために成されたものであり、建物の壁面に傷や汚れが付いてしまった場合でも、容易に元の傷や汚れのない状態に戻すことができる内装材を提供することを目的とする。
【０００５】
【課題を解決するための手段】
即ち、本発明の内装材は、タイル状の内装用板部材と、該内装用板部材の裏面に設けられ、少なくとも建物の壁面に残らず剥がすことができ、再貼り付け可能な再剥離性粘着剤とを備え、内装用板部材は、竹を繊維化させた竹繊維と、パルプとから構成されているものである。
【０００６】
また、請求項２の本発明の内装材は、タイル状の内装用板部材と、該内装用板部材の裏面に設けられ、少なくとも建物の壁面に残らず剥がすことができ、再貼り付け可能な再剥離性粘着剤とを備え、内装用板部材は、竹を繊維化させた竹繊維と、牡蛎殻粉砕粒とから構成されているものである。
【０００７】
【発明の実施の形態】
次に、図面に基づき本発明の実施形態を詳述する。図１は本発明の内装材１０の平面図、図２は本発明の内装材１０の縦断側面図、図３は本発明の内装材１０の裏面図をそれぞれ示している。各図面において、１０は内装材で、この内装材１０は内装用板部材１２と、この内装用板部材１２の裏面に設けられた再剥離性粘着剤２０とから構成されており、内装用板部材１２は長さ約１８０ｍｍ、幅約６０ｍｍの縦長略矩形状でタイル状に構成されると共に、厚さ約６ｍｍに構成されている。
【０００８】
内装用板部材１２の長手方向両端部には厚板部１２Ａ、１２Ａが設けられており、この厚板部１２Ａ、１２Ａは長手方向端部から中央方向に約３０ｍｍ延在している。両厚板部１２Ａ、１２Ａ間には凹所１２Ｂが設けられており、この凹所１２Ｂは内装用板部材１２の裏面側に設けられ厚板部１２Ａより約１ｍｍ凹んでいる。即ち、内装材１０は、内装用板部材１２の長手方向両側に厚さ約６ｍｍの厚板部１２Ａ、１２Ａが設けられ、この厚板部１２Ａ、１２Ａ間となる内装用板部材１２裏面中央部に厚さ約５ｍｍの凹所１２Ａが設けられている。そして、凹所１２Ａの両側となる厚板部１２Ａ、１２Ａに再剥離性粘着剤２０が貼り付けられて内装材１０が構成されている。尚、内装材１０の大きさ、及び、厚さはこれらの寸法に限られるものでなく、これらの寸法より大きく構成しても小さく構成しても差し支えない。
【０００９】
ここで、全体が同一厚さで縦長の板の一方の面が収縮、或いは、膨張するとバイメタルの原理で板は変形してしまうが、板の両端より内側中間部の厚さを薄く構成した場合、その薄い箇所で板の収縮、膨張が遮断されるので、縦長の板にはバイメタルの原理が働かなくなって変形してしまうのを防止することができる。即ち、内装材１０の内装用板部材１２は、両側に設けた厚板部１２Ａ、１２Ａと、この厚板部１２Ａ、１２Ａ間に凹所１２Ｂを設けることにより内装材１０が変形してしまうのを防止できるように構成している。
【００１０】
該内装材１０は自然環境で容易に腐敗して土に還せる地球環境に優しい竹とパルプとから構成している。係る内装材１０の内装用板部材１２を作る場合、図示しないが、まず竹を所定の長さに刻み、刻んだ竹を叩いて割り細かくする。細かくした竹を約５％〜７％の水酸化ナトリウム溶液で煮沸して竹の繊維を軟らかくし、繊維を軟らかくした竹を叩いて粗繊維状態にする。粗繊維状態にした竹を水洗いしてミキサーにて攪拌する。ミキサーにて攪拌した粗繊維状態の竹を分離器にかけ繊維質とタンパク質・糖分等を分離し竹繊維のみを取り出す。即ち、竹から、所定の長さの竹繊維だけを取り出す・・・（Ａ）。
【００１１】
次に、空になった牛乳の紙パック表面コーティング物（この場合、牛乳の紙パック表面に使用されている印刷フィルム）とパルプに分離する。この場合も、牛乳の紙パックを所定の大きさに細かく切り刻んで水洗いし、ミキサーにて攪拌する。攪拌した紙パックは界面活性剤を含んでいる洗剤等を用いて、界面活性剤の働きによって紙パックから表面コーティング物とパルプとを分離してパルプを取り出す。このとき、パルプに牛乳のパック表面に印刷されたインクが残っている場合は漂白或いは脱色を行なう。即ち、牛乳の紙パックからパルプだけを取り出す・・・（Ｂ）。
【００１２】
次に、繊維化した竹（Ａ）と、牛乳のパックから取り出したパルプ（Ｂ）を７：３の割合で混合し、主成分がデンプンの少量の糊（この場合、ホルマリンを含まないタイプの糊）の水溶液を所定量加えミキサーで攪拌する。攪拌した竹繊維とパルプとの混合液を和紙漉きの要領で、前記厚板部１２Ａ、１２Ａと凹所１２Ｂを有する内装用板部材１２の形状に形成した型に流し込んで加圧し内装用板部材１２の形状に成形する。そして、型に流し込んだ竹繊維とパルプとの混合物の表面を約９０％〜９３％乾燥させたら、更に加圧成形した後、全体を約９０％以上乾燥させて内装用板部材１２を完成する。
【００１３】
このように作られた内装用板部材１２にはメモや写真などを粘着テープや糊或いは画鋲などで固定することが可能となる。また、乾燥させた竹繊維とパルプとからなる内装用板部材１２は、竹繊維とパルプなどの繊維と粒子の隙間にて吸湿し、室内が乾燥しているときには放湿作用がある。また、竹繊維とパルプなどの繊維と粒子の隙間にて音を吸収するので防音効果もある。尚、内装用板部材１２より短い釘であるならば裏側に突き出ることもなく打ち付けることができる。
【００１４】
内装用板部材１２を完成させた後、内装用板部材１２裏面の両側となる両厚板部１２Ａ、１２Ａに熱活性シート１３を貼り付ける。次に、熱活性シート１３を所定の温度で加熱し両厚板部１２Ａ、１２Ａにコーティングする。これによって熱活性シート１３は、内装用板部材１２裏面の厚板部１２Ａ、１２Ａに固定される。次に、両厚板部１２Ａ、１２Ａをコーティングし固定した熱活性シート１３に再剥離性粘着剤１４を接着して内装材１０（１）を完成する。尚、熱活性シート１３が所定の温度で内装用板部材１２に固定される技術については従来より周知の技術であるため詳細な説明を省略する。
【００１５】
ここで、再剥離性粘着剤１４は、建物の化粧板や壁紙が貼られた壁面などに貼り付けることができ、また、再剥離性粘着剤１４は横に引け出せば容易に剥がすことができて再度貼り付けることができる所謂接着再剥離可能な粘着剤にて構成されており、この接着再剥離可能な粘着剤は例えば、テサテープ株式会社のパワーストリップ７０２８（商品名）などが挙げられる。即ち、再剥離性粘着剤１４は、内装用板部材１２裏面両側の両厚板部１２Ａ、１２Ａに熱接着固定した熱活性シート１３全面に貼り付けられる。
【００１６】
この再剥離性粘着剤１４によって、内装材１０（１）は建物の壁面１７に容易に接着固定することができる（図６）。また、建物の壁面１７に接着した内装材１０は壁面１７より容易に剥がすことができると共に、再剥離性粘着剤１４が建物の壁面１７に残ることもなく完全に剥がすことができる。この場合、壁面１７に貼った内装材１０を壁面１７側に軽く押さえつけながら、壁面１７と内装用板部材１２との間から再剥離性粘着剤１４を引き出す。壁面１７と内装用板部材１２との間から再剥離性粘着剤１４を図６の如き矢印方向に引き出すと、再剥離性粘着剤１４はゴムのように伸び、壁面１７と内装用板部材１２の裏面に設けた熱活性シート１３から伸びた箇所から剥離して行く。これによって、再剥離性粘着剤１４が取り除かれ壁面１７から内装材１０を外すことができる。即ち、内装材１０は、裏面に設けた再剥離性粘着剤１４によって、建物の壁面１７に着脱自在に構成されている。
【００１７】
このように、内装材１０は竹繊維とパルプとから構成した内装用板部材１２裏面の両側に設けた両厚板部１２Ａ、１２Ａに再剥離性粘着剤１４を接着している。そして、建物の壁面１７に内装材１０裏面の両厚板部１２Ａ、１２Ａに接着した再剥離性粘着剤１４を接着すれば、建物の壁面１７に内装材１０を貼り付け固定することが可能となる。これにより、内装材１０に粘着テープや糊或いは画鋲などでメモや写真などを固定することが可能となる。尚、建物の壁面１７に貼り付ける内装材１０は、必要に応じて建物の壁面１７全体、或いは、部分的に貼り付けられる。
【００１８】
また、内装材１０が粘着テープや糊で汚れてしまった場合、或いは、画鋲で穴が開いて傷付いてしまった場合などでも、汚れや傷は内装材１０に付くだけで建物の壁面１７が汚れたり傷付いてしまうこともなく、また、内装材１０に子供がマジックやクレヨンなどで落書きをしたり、シールを貼ったりして汚してしまった場合でも、傷や汚れは内装材１０に付くだけなので、建物の壁面１７が汚れてしまうのを防止できる。従って、賃貸アパートやマンションなどを借りた人は予め建物の壁面１７に内装材１０を貼っておき、返すときには内装材１０を剥がせば、建物の壁面１７に画鋲などの傷や、粘着テープや糊或いはマジック、クレヨンなどの汚れの無い綺麗な状態で返却することができる。
【００１９】
特に、内装材１０の裏面に剥がせる再剥離性粘着剤１４を接着しているので、建物の壁面１７に再剥離性粘着剤１４が残ってしまった場合でも、建物の壁面１７から再剥離性粘着剤１４を容易に剥がすことができるので、建物の壁面１７が汚れてしまうこともない。また、内装材１０は防音、吸湿、放湿などの効果がある竹繊維とパルプとから構成しているので、建物の室内を好適な環境にすることができる。また、内装材１０の表面に画や文字などの模様を印刷すれば内装材１０を綺麗に仕上げることができて、内装材１０付加価値を向上することができる。尚、内装用板部材１２より短い釘であるならば裏側に突き出ることもなく打ち付けることができるので、その釘に袋や衣類を吊り下げることもできる。
【００２０】
ところで、内装材１０（１）の内装用板部材１２を、竹繊維と牡蛎殻粉砕粒とを混合して内装材１０（２）を作ることも考えられる。この場合、竹繊維は前述同様に竹を所定の長さに刻んだ竹を繊維化した後、繊維化した竹と、牡蛎殻を所定の大きさに砕いた牡蛎殻粉砕粒を６：４の割合で混合する。そして、混合した繊維化した竹と、牡蛎殻粉砕粒に前述同様主成分がデンプンの少量の糊（この場合、ホルマリンを含まないタイプの糊）の水溶液を所定量加えミキサーで攪拌する。
【００２１】
攪拌した竹繊維と牡蛎殻粉砕粒との混合液を、前述同様和紙漉きの要領で前記内装用板部材１２の形状に形成した型に流し込んで、加圧し内装用板部材１２の形状に成形する。型に流し込んだ竹繊維とパルプとの混合物の表面を約９０％〜９３％乾燥したら、前述同様の内装用板部材１２形状に加圧成形した後、全体を約９０％以上乾燥させて内装用板部材１２を完成する。
【００２２】
このように作られた内装用板部材１２にはメモや写真などを粘着テープや糊或いは画鋲で固定することが可能となる。また、乾燥させた竹繊維と牡蛎殻粉砕粒とからなる内装用板部材１２は防音、吸湿、放湿などの効果がある。そして、内装用板部材１２を完成したならば、前述同様、内装用板部材１２裏面の両側となる両厚板部１２Ａ、１２Ａに熱活性シート１３を貼り付けて固定した後、熱活性シート１３に再剥離性粘着剤１４を接着して、内装材１０（２）を完成する。
【００２３】
このように、内装材１０（２）は竹繊維と牡蛎殻粉砕粒とから構成した内装用板部材１２裏面の両側に設けた両厚板部１２Ａ、１２Ａに再剥離性粘着剤１４を接着している。そして、建物の壁面１７に内装材１０裏面の両厚板部１２Ａ、１２Ａに接着した再剥離性粘着剤１４を接着すれば、建物の壁面１７に内装材１０（２）を貼り付け固定することが可能となる。これにより、前述同様内装材１０（２）に粘着テープや糊或いは画鋲などでメモや写真などを固定することが可能となる。尚、建物の壁面１７に貼り付ける内装材１０（２）は、必要に応じて建物の壁面１７全体、或いは、部分的に貼り付けられる。
【００２４】
特に、内装用板部材１２を竹繊維と牡蛎殻粉砕粒とから構成しているので、梅雨など建物内の湿度の高いときは竹繊維とパルプなどの繊維と粒子の隙間に吸湿して水分を蓄え快適な室内の湿度に、冬季など建物内の室内が乾燥しているときには内装用板部材１２に蓄えた水分を放湿して快適な室内の湿度にすることができ、四季を通じて建物内を好適な環境に維持することができるようになるも。尚、内装用板部材１２より短い釘であるならば裏側に突き出ることもなく打ち付けることができるので、その釘に袋や衣類を吊り下げることもできる。
【００２５】
次に、図４、図５には本発明の他の実施例の内装材１０（３）を示している。この場合、内装材１０は竹とパルプとから構成した内装用板部材１２内に吸臭部材として吸臭効果の高い備長炭粉砕粒１５を設けている。即ち、内装材１０（３）は内装材１０（１）の内装用板部材１２内に備長炭粉砕粒１５を設けている。該備長炭粉砕粒１５は、直径約１ｍｍ〜１．５ｍｍの大きさを呈している。尚、備長炭にて吸臭する効果があるのは従来より知られており、備長炭の吸臭効果については詳細な説明を省略する。また、吸臭部材は備長炭粉砕粒１５に限らず、椰子殻活性炭などを用いても差し支えない。
【００２６】
そして、内装用板部材１２を作る場合は、前述同様繊維化した竹と、牛乳のパックから再生したパルプを７：３の割合で混合し、主成分がデンプンの少量の糊（この場合、ホルマリンを含まないタイプの糊）の水溶液を所定量加えミキサーで攪拌する。攪拌した竹繊維とパルプとの混合液を和紙漉きの要領で前記内装用板部材１２の形状に形成した型に流し込んで、加圧し内装用板部材１２を成形する。このとき、内装用板部材１２は凹所１２Ｂが約４ｍｍの厚さになるよう成形する。
【００２７】
次に、表面を約９０％〜９３％乾燥させた時点で長手方向両端から内側に約３０ｍｍ残して凹所１２Ｂの反対面を約１．５ｍｍ凹ませ、凹ませた箇所に直径約１ｍｍ〜１．５ｍｍの大きさを呈した備長炭粉砕粒１５を約２ｍｍ〜２．５ｍｍの厚で略均一に詰める。次に、備長炭粉砕粒１５を所定の圧力で加圧して約１．５ｍｍの厚さに固めた後、再度竹繊維とパルプとの混合液を型に流し込んで、前述同様の内装用板部材１２形状に加圧成形し、全体を約９０％以上乾燥させて内装材１０を完成させる。
【００２８】
次に、内装用板部材１２裏面両側の両厚板部１２Ａ、１２Ａに再剥離性粘着剤１４を接着して内装材１０（３）を完成する。即ち、内装材１０（３）は、内装材１０（１）に備長炭粉砕粒１５を設けている。このように作られた内装材１０（３）にはメモや写真などを粘着テープや糊或いは画鋲などで固定できるようになると共に、乾燥させた竹繊維とパルプ、及び、備長炭粉砕粒１５とからなる内装材１０は防音、吸湿、放湿、吸臭効果などの特性を発揮できる。これにより、建物の室内を更に好適な環境にすることができるようになる。
【００２９】
また、内装材１０（３）に設けた備長炭粉砕粒１５の代わりに芳香剤としてラベンダー粉砕チップ１６を用いた内装材１０（４）も考えられる。この場合、内装材１０（４）は竹とパルプとから構成した内装用板部材１２内に芳香剤としてリラックス効果のあるラベンダー粉砕チップ１６を設けている。この場合もラベンダー粉砕チップ１６は、備長炭粉砕粒１５同様直径約１ｍｍ〜１．５ｍｍの大きさを呈しているものが用いられ、内装材１０（４）が作られる。他内装材１０（４）は内装材１０（３）同様に構成されている。尚、ラベンダーの香りがリラックス効果・鎮静効果などがあるのは従来より知られているので、ラベンダーの香りのリラックス効果・鎮静効果などの詳細な説明を省略する。
【００３０】
このように作られた内装材１０（４）にはメモや写真などを粘着テープや糊或いは画鋲などで固定できるようになると共に、乾燥させた竹繊維とパルプ、及び、ラベンダー粉砕チップ１６とからなる内装材１０は防音、吸湿、放湿などの効果に加えてラベンダーの香りのリラックス効果・鎮静効果がある。これにより、建物の室内を更に好適な環境にすることができる。
【００３１】
次に、竹繊維と牡蛎殻粉砕粒とから内装用板部材１２が構成された内装材１０（２）に吸臭部材としての備長炭粉砕粒１５を設けた内装材１０（５）を説明する。この内装材１０（５）は、竹とパルプとから構成され内装用板部材１２に備長炭粉砕粒１５を設けた内装材１０（３）同様に作られる。即ち、内装材１０（５）は、竹繊維と牡蛎殻粉砕粒とから構成された内装用板部材１２に、内装材１０（３）同様に備長炭粉砕粒１５を設けている。
【００３２】
このように作られた内装材１０（５）にはメモや写真などを粘着テープや糊或いは画鋲などで固定できるようになると共に、乾燥させた竹繊維と牡蛎殻粉砕粒、及び、備長炭粉砕粒１５とからなる内装材１０は防音、吸湿、放湿、吸臭効果などの特性を発揮することができる。これにより、建物の室内を更に好適な環境にすることができる。
【００３３】
また、内装材１０（５）の備長炭粉砕粒１５の代わりに芳香剤として桧及びラベンダー粉砕チップ１６Ａを用いた内装材１０（６）も考えられる。この場合、内装材１０（６）は竹と牡蛎殻粉砕粒とから構成した内装用板部材１２内に芳香剤として疲労回復・ストレスの解消・リラックス効果、森林浴効果などを有する桧、及び、リラックス効果のあるラベンダー粉砕チップ１６Ａを設けている。
【００３４】
この場合も桧・ラベンダー粉砕チップ１６Ａは、備長炭粉砕粒１５同様を直径約１ｍｍ〜１．５ｍｍの大きさを呈したものが用いられて、内装材１０（６）が作られる。他内装材１０（６）は内装材１０（５）同様に構成されている。尚、桧の香りが疲労回復・ストレスの解消・リラックス効果、森林浴効果などがあるのは従来より知られているので、桧の香りの疲労回復・ストレスの解消・リラックス効果、森林浴効果などの詳細な説明を省略する。
【００３５】
このように作られた内装材１０（６）にはメモや写真などを粘着テープや糊或いは画鋲などで固定できるようになると共に、乾燥させた竹繊維と牡蛎殻粉砕粒、及び、桧・ラベンダー粉砕チップ１６Ａとからなる内装材１０（６）は防音、吸湿、放湿などの効果及び、疲労回復・ストレスの解消・リラックス効果、森林浴効果などの特性を発揮することができる。これにより、建物の室内を更に好適な環境にすることができる。
【００３６】
尚、実施例では、内装用板部材１２の両側に厚板部１２Ａ、１２Ａを設け、この厚板部１２Ａ、１２Ａに再剥離性粘着剤１４を接着したが、厚板部１２Ａ、１２Ａは両側の２カ所に限らず、内装用板部材１２の両側に渡って所定の間隔で複数箇所設けても良い。また、複数箇所設けた厚板部にそれぞれ再剥離性粘着剤１４を接着しても良く、また、建物の壁面１７に貼り付く再剥離性粘着剤１４の強度に合わせ複数箇所設けた厚板部の任意の箇所に再剥離性粘着剤１４を接着しても良い。
【００３７】
また、内装材１０は賃貸アパートやマンションだけでなく新築した建物の壁面１７に貼っても良い。この場合、内装材１０の吸臭効果により建物の壁面１７に貼られた壁紙或いは表面を綺麗に仕上げた化粧板からなる内装板などの接着剤やビニールクロス、断熱材、木材の防虫剤或いは家具などに使用されてい化学物質（例えば、ホルムアルデヒド・トルエン・キシレン・可塑剤・ノナナール・スチレン・防蟻剤・パラジクロロベンゼン・テトラデカン・エチルベンゼン・クロルピリホス・ダイアジノン・木材保存剤など）などの臭気を吸臭できるので、それらの化学物質を吸い込むことによるイライラ、うつ症・耳鳴り・肩凝りなどのシックハウス症候群を防止することが可能となる。
【００３８】
【発明の効果】
以上詳述した如く本発明によれば、内装材は、タイル状の内装用板部材と、該内装用板部材の裏面に設けられ、少なくとも建物の壁面に残らず剥がすことができ、再貼り付け可能な再剥離性粘着剤とを備え、内装用板部材は、竹を繊維化させた竹繊維と、パルプとから構成されているので、例えば従来処理に困っていた竹の廃材、及び、牛乳のパックなどを有効利用することができる。これにより、内装用板部材を作るため合成樹脂の使用及びパルプを作るために森林の伐採も軽減できて資源の無駄を防止することができ、また、竹繊維及びパルプは自然環境で容易に腐敗させ土に還せるのでゴミ公害の減少を図ることが可能となる。従って、環境を破壊せず地球に優しい内装材を提供することができるようになる。
【００３９】
特に、内装用板部材の裏面に、少なくとも建物の壁面に残らず剥がすことができ、再貼り付け可能な再剥離性粘着剤とを備えているので、建物の壁面に貼った内装材が不要になったときは極めて容易に剥がすことができる。これにより、壁面に傷付けることなく内装材を剥がすことができ、且つ、剥がした内装材を自然環境で腐敗させ土に還すことが可能となる。従って、壁面への着脱自在、且つ、地球に優しい内装材を提供することができるようになるものである。
【００４０】
また、請求項２の発明によれば、タイル状の内装用板部材と、該内装用板部材の裏面に設けられ、少なくとも建物の壁面に残らず剥がすことができ、再貼り付け可能な再剥離性粘着剤とを備え、内装用板部材は、竹を繊維化させた竹繊維と、牡蛎殻粉砕粒とから構成されているので、例えば従来処理に困っていた竹の廃材、及び、牡蛎殻粉砕粒などを有効利用することが可能となる。これにより、竹繊維及び牡蛎殻粉砕粒にて構成する内装材を自然環境で容易に腐敗させ土に還せるのでゴミ公害の減少を図ることが可能となる。従って、環境を破壊せず地球に優しい内装材を提供することができるようになるものである。
【００４１】
特に、内装用板部材の裏面に、少なくとも建物の壁面に残らず剥がすことができ、再貼り付け可能な再剥離性粘着剤とを備えているので、請求項１同様建物の壁面に貼った内装材が不要になったときは極めて容易に剥がすことができる。これにより、壁面に傷付けることなく内装材を剥がすことができ、且つ、剥がした内装材を自然環境で腐敗させ土に還すことが可能となる。従って、壁面への着脱自在、且つ、地球に優しい内装材を提供することができるようになるものである。
【図面の簡単な説明】
【図１】  本発明の内装材の平面図である。
【図２】  本発明の内装材の縦断側面図である。
【図３】  本発明の内装材の裏面図である。
【図４】  もう一つの内装材の平断面図である。
【図５】  同図４の内装材の縦断側面図である。
【図６】  内装用板部材を壁面から剥がす状態を示す内装材の縦断側面図である。
【符号の説明】
１０  内装材
１２  内装用板部材
１２Ａ  厚板部
１２Ｂ  凹所
１３  熱活性シート
１４  再剥離性粘着剤
１５  備長炭粉砕粒
１６  ラベンダー粉砕チップ
１６Ａ  桧・ラベンダー粉砕チップ
１７  壁面
【図１】
0003898946.tif 000002
【図２】
0003898946.tif 000003
【図３】
0003898946.tif 000004
【図４】
0003898946.tif 000005
【図５】
0003898946.tif 000006
【図６】
0003898946.tif 000007